(57)【要約】【課題】マスク性能への影響を抑制しつつ、内面と外面とを容易に区別しうる使い捨てマスクを提供する。【解決手段】使い捨てマスクは、上下方向と幅方向と厚さ方向とを有し、厚さ方向の一方及び他方の面である第１面及び第２面を有し、不織布を含むマスク本体１０と、マスク本体の幅方向の両側部の第２面に融着部３０で融着された一対の耳掛け部材２０と、を備える。耳掛け部材の色は、マスク本体の前記第１面の色と異なる。融着部を介して、前記第１面の色と異なる色が、第１面側から視認可能である。【選択図】図１
2020041254.tif 000002
【特許請求の範囲】
【請求項１】
上下方向と幅方向と厚さ方向とを有し、前記厚さ方向の一方及び他方の面である第１面及び第２面を有し、不織布を含むマスク本体と、前記マスク本体の前記幅方向の両側部の前記第２面に融着部で融着された一対の耳掛け部材と、を備える使い捨てマスクであって、
前記耳掛け部材の色は、前記マスク本体の前記第１面の色と異なり、
前記融着部を介して、前記第１面の色と異なる色が、前記第１面側から視認可能である、
使い捨てマスク。
【請求項２】
前記耳掛け部材の色は、前記マスク本体の前記第２面の色と同系色である、
請求項１に記載の使い捨てマスク。
【請求項３】
前記第１面は、前記マスク本体の内面であり、前記第２面は、前記マスク本体の外面である、
請求項１又は２に記載の使い捨てマスク。
【請求項４】
前記耳掛け部材の色と前記マスク本体の前記第１面の色とは、マンセル表色系にて色相が５以上、明度が１以上、又は、彩度が１以上、離れている、
請求項１乃至３のいずれか一項に記載の使い捨てマスク。
【請求項５】
前記耳掛け部材は織ゴムを含み、
前記織ゴムにおける経糸及び緯糸のうちの少なくとも一方の色が、前記マスク本体の前記第１面の色と異なる、
請求項１乃至４のいずれか一項に記載の使い捨てマスク。
【請求項６】
前記織ゴムにおける経糸及び緯糸のうちの、単位体積当たりの糸の本数が多い方の色が、前記マスク本体の前記第１面の色と異なる、
請求項５に記載の使い捨てマスク。
【請求項７】
前記マスク本体は、前記幅方向の両端部の各々において、前記上下方向の両端部の少なくとも一方が前記幅方向の外側の方向に延出した延出部を含み、
前記融着部は、前記延出部に位置する延出融着部を含み、
前記耳掛け部材は、少なくとも一端部を前記延出融着部で融着されている、
請求項１乃至６のいずれか一項に記載の使い捨てマスク。
【請求項８】
前記延出部は、前記マスク本体の前記幅方向の両端部の各々において、前記上下方向の一端部が前記幅方向の外側の方向に延出した第１延出部と、前記上下方向の他端部が前記幅方向の外側の方向に延出した第２延出部と、含み、
前記第１延出部と前記第２延出部との間に前記幅方向の内側の方向に括れた括れ部が位置し、
前記延出融着部は、前記第１延出部に位置する第１延出融着部と、前記第２延出部に位置する第２延出融着部と、を含み、
前記耳掛け部材は、一端部を前記第１延出融着部で融着され、他端部を前記第２延出融着部で前記マスク本体に融着されている、
請求項７に記載の使い捨てマスク。
【請求項９】
前記融着部は、前記マスク本体と前記耳掛け部材とが超音波で溶かされて形成されている、
請求項１乃至８のいずれか一項に記載の使い捨てマスク。
【請求項１０】
前記マスク本体は、複数の不織布を積層した積層体であり、
前記積層体は、前記複数の不織布同士を融着する複数の本体融着部を有し、
前記複数の本体融着部は、前記第２面から見て判読可能な複数個の文字が並んだ文字列の形状を有する文字列融着部を含み、
前記文字列融着部は、前記文字列における、前記文字列の方向の中心に位置し、前記文字列の方向と直交する方向に延びる中心線に対して非対称である、
請求項１乃至９のいずれか一項に記載の使い捨てマスク。
【発明の詳細な説明】
【技術分野】
【０００１】
本発明は、使い捨てマスクに関する。
【背景技術】
【０００２】
一部又は全部に着色が施されている使い捨てマスクが知られている。例えば、特許文献１に、使い捨てマスクが開示されている。その使い捨てマスクは、上下方向及び幅方向を有し、内面及び外面を有するマスク本体と、マスク本体の両側縁から延びる一対の耳掛け部とを含む。マスク本体は、基材シートから形成されており、基材シートを折り重ねて形成されて上下方向へ並ぶ複数の襞部を有する。基材シートは、内面側に位置する内層シートと、外面側に位置する外層シートと、内外層シート間に介在された中間シートとを有する。内外層シートは、中間シートよりも全光線透過率が高い。基材シートのうちの中間シートのみ着色されている。耳掛け部は、細紐状であって、中間シートと同色系に着色されている。
【０００３】
また、着色ではないが、外面にイラストがプリントされた使い捨てマスクが知られている。例えば、実用新案登録第３０５５５３４号公報に、ファッション兼医療用カラーマスクが開示されている。このファッション兼医療用カラーマスクでは、ガーゼ、不織布等に着色したマスク素材で作ったマスクの中央部にイラストをプリント又は手描きしている。
【先行技術文献】
【特許文献】
【０００４】
【特許文献１】特開２０１８−２０４１６９号公報
【特許文献２】実用新案登録第３０５５５３４号公報
【発明の概要】
【発明が解決しようとする課題】
【０００５】
特許文献１のような図柄のない使い捨てマスクでは、内面（着用時に肌と当接する面）及び外面（内面と反対側の面）が、全体的に同じ色又は同系色に着色されているため、内面と外面の判別が難しくなり、マスクの装着に時間が掛かるおそれがある。そのうえ、内面と外面とを誤ってしまい、外面を、肌と当接する面として装着するおそれがある。そうなると、マスク本来の機能が発揮されなくなるおそれがある。また、特許文献２のような図柄のある使い捨てマスクでは、内面と外面との判別は難しくないが、図柄の印刷によってはマスク性能への影響や、コストの上昇などのおそれがある。
【０００６】
本発明の目的は、マスク性能への影響を抑制しつつ、内面と外面とを容易に区別しうる使い捨てマスクを提供することにある。
【課題を解決するための手段】
【０００７】
本発明の使い捨てマスクは、（１）上下方向と幅方向と厚さ方向とを有し、前記厚さ方向の一方及び他方の面である第１面及び第２面を有し、不織布を含むマスク本体と、前記マスク本体の前記幅方向の両側部の前記第２面に融着部で融着された一対の耳掛け部材と、を備える使い捨てマスクであって、前記耳掛け部材の色は、前記マスク本体の前記第１面の色と異なり、前記融着部を介して、前記第１面の色と異なる色が、前記第１面側から視認可能である、使い捨てマスク、である。
【０００８】
本使い捨てマスクでは、マスク本体の不織布が耳掛け部材と融着部で融着されるとき、融けてフィルム状になり略透明になっている。そのため、使用者が、第２面に融着された耳掛け部材の色、又は、耳掛け部材の色と第１面及び／又は第２面の色とが混合された混合色（以下、単に「混合色」ともいう。）を、略透明な融着部を介して第１面側から視認可能な構成になっている。ところが、耳掛け部材の色又は混合色は、第１面の色と異なっている。それゆえ、使用者が、本使い捨てマスクを第１面側から見ると、幅方向の両端部の融着部の位置に、第１面と異なる色、すなわち、融着部を透視して把握される耳掛け部材の色又は混合色を容易に確認することができる。したがって、使用者が本使い捨てマスクの第１面を見たとき、第１面の色と融着部を透視して把握される色とが異なるため、使用者の視線を第１面側の融着部に容易に向けさせることができる。それにより、第１面側の融着部が、耳掛け部材が直接融着された第２面側の融着部でないこと、よって、その面が第１面であることを使用者に容易に把握させることができる。逆に言えば、使用者が本使い捨てマスクの第２面を見たとき、耳掛け部材が直接融着されているため、その面が第２面であることを容易に把握ができる。すなわち、使用者は、第２面と第１面とを容易に区別することができる。
ここで、使用者は、マスクのパッケージの図などで第１面及び第２面のうち、どちらが内面であり、どちらが外面であるかを予め把握している。あるいは、使用者は、当初、第１面及び第２面のうち、どちらが内面であり、どちらが外面であるか分からなくても、一度、使い捨てマスクを使用することで、その後には、どちらが内面であり、どちらが外面であるかを把握できる。それにより、使用者は、第１面と第２面とを容易に区別することができ、したがって内面と外面とを区別することができる。
また、内面と外面との区別のために、第１面や第２面に図柄を設けることは必要ないので、マスク性能への影響やコストの上昇などを抑制できる。
そして、使い捨てマスクの装着に時間が掛かることが抑制され、使い捨てマスクが正しく装着されることができ、使い捨てマスクが本来の機能を正しく発揮できる。
【０００９】
本発明の使い捨てマスクは、（２）前記耳掛け部材の色は、前記マスク本体の前記第２面の色と同系色である、上記（１）に記載の使い捨てマスク、であってもよい。
本使い捨てマスクでは、耳掛け部材の色は、耳掛け部材が融着された第２面の色と同系色である。したがって、使用者は、本使い捨てマスクの第１面を見たとき、第１面の色と融着部を透視して把握される色とが異なること、すなわち第１面の色と耳掛け部材の色又は混合色とが互いに同系色でないことから、その面が、耳掛け部材が直接融着された第２面ではないことを直ちに把握することができる。逆に言えば、使用者が本使い捨てマスクの第２面を見たとき、第２面の色と融着部の色（第２面側からは耳掛け部材そのものの色となる）とが互いに同系色であるため、その面が第２面であることを容易に把握ができる。すなわち、使用者は、第２面と第１面とを容易に区別することができる。なお、この場合、同系色は、同一色を含む。
【００１０】
本発明の使い捨てマスクは、（３）前記第１面は、前記マスク本体の内面であり、前記第２面は、前記マスク本体の外面である、上記（１）又は（２）に記載の使い捨てマスク、であってもよい。
本使い捨てマスクでは、耳掛け部材が、装着時に、マスク本体を第２面、すなわち外面の側から肌へ向かって押さえつけるように、外面側に結合されている。それにより、本使い捨てマスクが使用者に装着されたとき、顔面に適切にフィットすることができ、本来の機能を正しく発揮できる。それに加えて、使用者が本使い捨てマスクの第１面、すなわち内面を見たとき、内面の色と融着部を透視して把握される色とが異なるため、その面が内面であると直ちに把握できる。逆に言えば、使用者が本使い捨てマスクの第２面、すなわち外面を見たとき、耳掛け部材が直接融着されているため、その面が外面であると直ちに把握できる。すなわち、内面と外面とを容易に区別することができる。
【００１１】
本発明の使い捨てマスクは、（４）前記耳掛け部材の色と前記マスク本体の前記第１面の色とは、マンセル表色系にて色相が５以上、明度が１以上、又は、彩度が１以上、離れている、上記（１）乃至（３）のいずれか一項に記載の使い捨てマスク、であってもよい。
本使い捨てマスクでは、耳掛け部材の色とマスク本体の第１面の色とがマンセル表色系（１００色相）にて色相が５以上、明度が１以上、又は、彩度が１以上離れている。それゆえ、使用者は耳掛け部材の色又は混合色を、融着部を介して、第１面側からより容易に視認できる。すなわち、耳掛け部材が融着された第２面と、耳掛け部材の色を融着部を介して視認できる第１面と、をより容易に区別できる。それにより、内面と外面とを色によって容易に区別できる。
【００１２】
本発明の使い捨てマスクは、（５）前記耳掛け部材は織ゴムを含み、前記織ゴムにおける経糸及び緯糸のうちの少なくとも一方の色が、前記マスク本体の前記第１面の色と異なる、上記（１）乃至（４）のいずれか一項に記載の使い捨てマスク、でもよい。
本使い捨てマスクでは、使用者は、耳掛け部材としての織ゴムが融着された側の第２面と、織ゴムの色を融着部を介して視認できる第１面と、を容易に区別することができる。また、織ゴムでは、長さ方向に張力が加わっても、幅方向の寸法がほとんど変化せず細くならない。そのため、長さ方向に張力が加わった状態でも、耳掛け部材としての織ゴムの色を容易に把握することができる。それらにより、内面と外面とを色によってより容易に区別できる。
【００１３】
本発明の使い捨てマスクは、（６）前記織ゴムにおける経糸及び緯糸のうちの、単位体積当たりの糸の本数が多い方の色が、前記マスク本体の前記第１面の色と異なる、上記（５）に記載の使い捨てマスク、であってもよい。
本使い捨てマスクでは、経糸及び緯糸のうちの単位体積当たりの糸の本数が多い方の色がマスク本体の第１面の色と異なるので、使用者は、織ゴムが融着された側の第２面と、織ゴムの色を融着部を介して視認できる第１面と、をより容易に区別することができる。それにより、内面と外面とを色によってより容易に区別できる。
【００１４】
本発明の使い捨てマスクは、（７）前記マスク本体は、前記幅方向の両端部の各々において、前記上下方向の両端部の少なくとも一方が前記幅方向の外側の方向に延出した延出部を含み、前記融着部は、前記延出部に位置する延出融着部を含み、前記耳掛け部材は、少なくとも一端部を前記延出融着部で融着されている、上記（１）乃至（６）のいずれか一項に記載の使い捨てマスク、であってもよい。
本使い捨てマスクでは、マスク本体が、幅方向の端部において、上下方向の両端部の少なくとも一方が幅方向の外側の方向に延出した延出部を含んでおり、耳掛け部材は、少なくとも一端部を延出融着部に融着されている。このように、幅方向の外側の方向に延出した延出部に延出融着部が位置することで、使用者は、延出融着部を容易に把握できるので、延出融着部を介して第１面側から耳掛け部材の色又は混合色を容易に視認できる。したがって、使用者は、第２面と第１面とをより容易に区別することができる。それにより、内面と外面とを色によってより容易に区別できる。
【００１５】
本発明の使い捨てマスクは、（８）前記延出部は、前記マスク本体の前記幅方向の両端部の各々において、前記上下方向の一端部が前記幅方向の外側の方向に延出した第１延出部と、前記上下方向の他端部が前記幅方向の外側の方向に延出した第２延出部と、含み、前記第１延出部と前記第２延出部との間に前記幅方向の内側の方向に括れた括れ部が位置し、前記延出融着部は、前記第１延出部に位置する第１延出融着部と、前記第２延出部に位置する第２延出融着部と、を含み、前記耳掛け部材は、一端部を前記第１延出融着部で融着され、他端部を前記第２延出融着部で前記マスク本体に融着されている、上記（７）に記載の使い捨てマスク、であってもよい。
本使い捨てマスクでは、マスク本体が、幅方向の端部において、上下方向の両端部が幅方向の外側の方向に延出した第１、第２延出部を含んでおり、耳掛け部材が、一端部及び他端部を第１、第２延出融着部に融着されている。このように、幅方向の外側の方向に延出した第１、第２延出部に第１、第２延出融着部が位置することで、第１、第２延出融着部を容易に把握できるので、それにより第１、第２延出融着部を介して第１面側から耳掛け部材の色又は混合色を容易に視認できる。したがって、使用者は、第２面と第１面とをより容易に区別することができる。それにより、内面と外面とを色によってより容易に区別できる。
【００１６】
本発明の使い捨てマスクは、（９）前記融着部は、前記マスク本体と前記耳掛け部材とが超音波で溶かされて形成されている、上記（１）乃至（８）のいずれか一項に記載の使い捨てマスク、であってもよい。
本使い捨てマスクでは、融着部は前記マスク本体と前記耳掛け部材とが超音波で溶かされて形成されているので、マスク本体の不織布を容易にフィルム化することができ、それにより、第２面に位置する耳掛け部材の色又は混合色を、融着部を介して第１面側から容易に視認可能にすることができる。それにより、内面と外面とを色によってより容易に区別できる。
【００１７】
本発明の使い捨てマスクは、（１０）前記マスク本体は、複数の不織布を積層した積層体であり、前記積層体は、前記複数の不織布同士を融着する複数の本体融着部を有し、前記複数の本体融着部は、前記第２面から見て判読可能な複数個の文字が並んだ文字列の形状を有する文字列融着部を含み、前記文字列融着部は、前記文字列における、前記文字列の方向の中心に位置し、前記文字列の方向と直交する方向に延びる中心線に対して非対称である、上記（１）乃至（９）のいずれか一項に記載の使い捨てマスク、でもよい。
本使い捨てマスクでは、第２面から見て判読可能な文字列を含み、中心線に対して非対称である文字列融着部を備えている。それにより、文字列融着部の文字列の状態から、第２面と第１面とを容易に区別できる。また、文字列融着部は複数の不織布同士を融着するための融着部であるため、マスク性能への影響やコストの上昇などを抑制しつつ文字列融着部を形成できる。それにより、内面と外面とを色によってより容易に区別できる。
【発明の効果】
【００１８】
本発明によれば、マスク性能への影響を抑制しつつ、内面と外面とを容易に区別することが可能な使い捨てマスクを提供することができる。
【図面の簡単な説明】
【００１９】
【図１】実施形態に係る使い捨てマスクの構成例を示す斜視図である。
【図２】実施形態に係る使い捨てマスクの構成例を示す外面側の側面図である。
【図３】実施形態に係る使い捨てマスクの構成例を示す内面側の側面図である。
【図４】図１に示す使い捨てマスクの部分断面図である。
【図５】他の実施形態に係る使い捨てマスクの構成例を示す正面図である。
【図６】他の実施形態に係る使い捨てマスクの構成例を示す背面図である。
【発明を実施するための形態】
【００２０】
以下、実施形態に係る使い捨てマスクについて図面を参照しながら説明する。
【００２１】
図１〜図４は実施形態に係る使い捨てマスク１（以下、単に「マスク１」ともいう。）の構成例を示す図である。ただし、図１はマスク１の着用時の態様を示す斜視図である。図２はマスク１を二つ折りにした状態での、マスク１の外面を示す側面図である。図３はマスク１を二つ折りにした状態での、マスク１の内面を示す側面図である。図４（ａ）は図２におけるＩＶａ−ＩＶａ線に沿った部分断面図であり、図４（ｂ）は図２におけるＩＶｂ−ＩＶｂ線に沿った部分断面図である。マスク１は、着用者の口及び鼻を覆う、不織布を含むシート状の部材で構成されたマスク本体１０と、マスク本体１０に融着部３０で融着され、着用者の一対の耳に掛けられる、紐状又は帯状の部材で構成された一対の耳掛け部材２０とを備えている。
【００２２】
マスク本体１０は、上下方向Ｌと幅方向Ｗと厚さ方向Ｔとを有しており、厚さ方向Ｔにおける一方及び他方の面である内面ＩＳ（第１面）及び外面ＯＳ（第２面）を有する。ここで、上下方向Ｌは、一対の耳掛け部材２０の一方とマスク本体１０とを融着する融着部３０と、一対の耳掛け部材２０の他方とマスク本体１０とを融着する融着部３０とが、互いに重なるように、マスク本体１０を二つ折りにしたとき、その折り目の成す直線の方向である。ただし、本実施形態のように、その折り目が曲線を成す場合（図２）、上下方向Ｌは、その曲線における、着用時に顔面上で最も上方に位置することになる頂部Ｃａと、最も下方に位置することになる頂部Ｃｂとを結んだ直線ＣＬの方向とする。幅方向Ｗは、上下方向Ｌと直交し、かつ、外面ＯＳ又は内面ＩＳに沿う方向とする。そして、厚さ方向Ｔは、上下方向Ｌ及び幅方向Ｗと直交する方向であり、したがって、マスク本体１０を構成するシートの厚さの方向である。なお、マスク本体１０の形状は、鼻や口を覆うことが可能ならばこれらの図の例に限定されず、例えば、略楕円の形状、略逆三角の形状、略多角形の形状、それらの組み合わせなどが挙げられる。
【００２３】
一対の耳掛け部材２０は、マスク本体１０の幅方向Ｗの両側部の外面ＯＳ（第２面）に融着部３０、３０で融着されている。融着部３０は、例えば、耳掛け部材２０とマスク本体１０とを熱又は超音波で融着する方法などで形成されている。マスク本体１０を耳掛け部材２０と融着部３０で融着するとき、マスク本体１０の融着部３０に対応する部分を一度融解させてフィルム状のフィルム部分１５（後述）にしつつ、そのフィルム部分１５と耳掛け部材２０の端部２２（後述）とを融着させる。したがって、融着部３０はフィルム部分１５と端部２２とを含んでおり、両者が接合面ＣＳを介して融着した構成を有している。なお、接合面ＣＳでは両者が部分的に互いに混じり合っていてもよい。なお、別の実施形態では、内面ＩＳが第２面であり、外面ＯＳが第１面である。その場合、一対の耳掛け部材２０は、マスク本体１０の幅方向Ｗの両側部の内面ＩＳ（第２面）に融着部３０、３０で融着されている。なお、ある部材等の、ある方向（例示：上下方向Ｌ、幅方向Ｗ）の端部とは、その部材等の、その方向の端縁からその方向での全体の長さの１／５の寸法の範囲をいう。例えば、マスク本体１０の幅方向Ｗの端部とは、マスク本体１０の幅方向Ｗの端縁から、マスク本体１０の幅方向Ｗの最大長さの１／５の幅の範囲をいう。
【００２４】
融着部３０では、フィルム部分１５は略透明であるため、光線（例示：可視光線）の一部または全部が内部を透過することが可能である。ただし、外面ＯＳの色や内面ＩＳの色によっては、フィルム部分１５の色は、外面ＯＳの色及び内面ＩＳの色の少なくとも一方の色を含んだ色になる場合がある。したがって、フィルム部分１５を内面ＩＳ側又は外面ＯＳ側から見たとき、それぞれ反対側の外面ＯＳ側又は内面ＩＳ側の近傍に位置する部材等（例示：耳掛け部材２０の端部２２）の色を視認可能である。なお、融着方法、すなわち融着部３０の形成方法としては、マスク本体１０におけるフィルム部分１５のフィルム化の容易性や高速生産の容易性や信頼性の観点から、超音波で融着する方法が好ましい。
【００２５】
耳掛け部材２０の色は、マスク本体１０の内面ＩＳ（第１面）の色と異なっている。そのため、融着部３０（のマスク本体１０のフィルム部分１５）を介して内面ＩＳ（第１面）側から、耳掛け部材２０（の端部２２）の色、又は、耳掛け部材の色と内面ＩＳ及び／又は外面ＯＳの色とが混合された混合色（単に「混合色」ともいう。）を容易に視認可能である。したがって、使用者は、マスク本体１０の内面ＩＳを見たとき、内面ＩＳの色と、内面ＩＳ側の融着部３０（のマスク本体１０のフィルム部分１５）を介して見える、外面ＯＳ側の耳掛け部材２０（の端部２２）の色又は混合色とが異なる、ということを確認できる。それゆえ、内面ＩＳと、耳掛け部材２０が直接取り付けられた外面ＯＳとを区別し易い。ただし、内面ＩＳの色は、白色系の色が好ましい。それにより、耳掛け部材２０の色が、フィルム部分１５の内面ＩＳの色の影響を受け難くでき、融着部３０を介して視認され易くなる。
更に、本実施形態では、マスク本体１０の内面ＩＳの色は、外面ＯＳの色と異なっている。内面ＩＳと外面ＯＳとをより区別し易くするためである。更に、本実施形態では、耳掛け部材２０の色は、マスク本体１０の外面ＯＳの色と類似している、又は同系色である。それにより、融着部３０における耳掛け部材２０の色が、外面ＯＳの色で強調されるので、フィルム部分１５の内面ＩＳの色の影響をより受け難くでき、融着部３０を介してより視認され易くなる。すなわち、耳掛け部材２０及び外面ＯＳと、内面ＩＳと、をより区別し易くでき、延いては、内面ＩＳと外面ＯＳとをより区別し易くできる。
【００２６】
ただし、本明細書において、色が「異なる」とは、マンセル表色系（１００色相）において、色相が５以上（好ましくは８以上、より好ましくは１０以上）、明度が１以上（好ましくは２以上、より好ましくは３以上）、又は、彩度が１以上（好ましくは２以上、より好ましくは３以上）、離れていることをいう。また、本明細書において、色が「類似する」又は「同系色」とは、マンセル表色系（１００色相）において、色相が５未満、明度が１未満、又は、彩度が１未満の離れていることをいい、色が同一の場合を含む。なお、耳掛け部材２０の色、マスク本体１０の内面ＩＳの色、マスク本体１０の外面ＯＳの色は、上記の各条件を満たせば特に制限はない。なお、白色系の色は、明度が７以上の色であり、好ましくは８以上の色であり、より好ましくは９以上の色である。
【００２７】
あるいは、色が「異なる」とは、色差ΔＥでいえば、ΔＥが１以上であり、好ましくはΔＥが２以上であり、より好ましくはΔＥが３以上であり、更に好ましくはΔＥが５以上であってもよい。その場合、色が「類似する」又は「同系色」とは、色差ΔＥが１未満である。なお、白色系の色は、Ｌ＊が７０以上の色であり、好ましくは８０以上の色であり、より好ましくは９０以上の色である。
【００２８】
ただし、上記の色差は、以下のとおり測定される。
（１）Ｘ−Ｒｉｔｅ社製  Ｘ−Ｒｉｔｅ  ｅＸａｃｔ  Ｓｔａｎｄｅｒｄ（測定径：１．５ｍｍ）を準備する。
（２）サンプルの測定すべき部分のＣＩＥ  Ｌ*ａ*ｂ*座標を、位置を変えて１０点以上測定し、それらの平均値（［Ｌ1*，ａ1*，ｂ1*］）を算出する。
（３）サンプルの対比すべき部分のＬ*ａ*ｂ*座標を、位置を変えて１０点以上測定し、それらの平均値（［Ｌ2*，ａ2*，ｂ2*］）を算出する。
（４）色差ΔＥを、次の式：
【数１】
2020041254.tif 000003
により算出する。
【００２９】
このように、本実施形態に係るマスク１では、マスク本体１０の不織布は融着部３０で耳掛け部材２０と融着するとき、融けてフィルム状になり略透明になっている（フィルム部分１５）。そのため、使用者が外面ＯＳ（第２面）に融着された耳掛け部材２０の色又は混合色を、略透明な融着部３０のフィルム部分１５を介して内面ＩＳ（第１面）側から視認可能な構成になっている。ここで、耳掛け部材２０の色又は混合色は、内面ＩＳの色と異なっている。それゆえ、使用者が、本マスク１を内面ＩＳ側から見ると、幅方向Ｗの両端部の融着部３０の位置に、内面ＩＳと異なる色である、融着部３０のフィルム部分１５を透視して把握される耳掛け部材２０の色又は混合色を容易に確認することができる。したがって、使用者が本マスク１の内面ＩＳを見たとき、内面ＩＳの色と融着部３０のフィルム部分１５を透視して把握される色とが異なるため、使用者の視線を内面ＩＳ側の融着部３０に容易に向けさせることができる。それにより、内面ＩＳ側の融着部３０が、耳掛け部材２０が直接融着された外面ＯＳ側の融着部３０でないこと、よってその面が内面ＩＳであることを使用者に容易に把握させることができる。逆に言えば、使用者が本マスク１の外面ＯＳを見たとき、耳掛け部材２０が直接融着されているため、その面が外面ＯＳである、ということを、使用者は容易に把握できる。すなわち、外面ＯＳと内面ＩＳとを容易に区別することができる。
ここで、使用者は、マスク１のパッケージの図や写真などで、マスク１（マスク本体１０）の一方の面及び他方の面のうち、どちらが内面ＩＳであり、どちらが外面ＯＳであるかを予め把握している。あるいは、使用者は、当初、マスク１の一方の面及び他方の面のうち、どちらが内面ＩＳであり、どちらが外面ＯＳであるか分からなくても、一度、マスク１を使用することで、その後には、どちらが内面ＩＳであり、どちらが外面ＯＳであるかを把握している。それにより、使用者は、マスク１一方の面及び他方の面を容易に区別でき、外面ＯＳと内面ＩＳとを容易に区別できる。
また、外面ＯＳと内面ＩＳとの区別のために、マスク１一方の面及び他方の面に図柄を設ける必要がないので、マスク１のマスク性能への影響やコストの上昇等を抑制できる。
そして、マスク１の装着に時間が掛かることが抑制され、マスク１が正しく装着されることができ、マスク１が本来の機能を正しく発揮することが可能となる。
【００３０】
本実施形態では、マスク本体１０は、内面ＩＳ側から見て、幅方向Ｗの左側に位置し、着用者の顔面の左半分を覆う左半面シート１０ａと、幅方向Ｗの右側に位置し、着用者の顔面の右半分を覆う右半面シート１０ａとを含んでいる。そして、左半面シート１０ａと右半面シート１０ａとは、向かい合う端部同士が端縁に沿って接合されることで、一体化されている。端部同士の接合部分は、接合部１０ｂを形成している。接合部１０ｂは、例えば、端部同士を熱又は超音波で融着する方法や接着剤で接合する方法などで形成されている。そのとき、左半面シート１０ａ及び右半面シート１０ａでは、それらの向かい合う端部の端縁が各シートの外側に向かって凸な略曲線の形状を有している。そのため、一体化された両シートは、着用者が着用する時に、着用者の顔面に対して凹面となる立体形状（立体構造）を形成することができる。なお、別の実施形態では、マスク本体は、上記のような左半面シート及び右半面シートを有さず、一体の略平面状の形状である（例示：特許文献２）。更に別の実施形態では、一体の略平面状の形状であり、かつ、上下方向へ並ぶ複数の襞部を有する（例示：特許文献１）。
【００３１】
本実施形態では、マスク本体１０は、着用時に顔面側、すなわち内面ＩＳ側に向く内側シート１２と、着用時に外側、すなわち外面ＯＳに向く外側シート１１と、内側シート１２と外側シート１１との間に位置するフィルタシート１３とを備えている。そして、内側シート１２とフィルタシート１３と外側シート１１とは、マスク本体１０の外縁を縁取るように配置された複数の融着部１６（本体融着部）で互いに融着されている。融着部１６の形状は、特に限定されるものではなく、ドット状、円状、楕円状、多角形状、図柄状、それらの組み合わせなどが挙げられる。融着部１６は、内側シート１２とフィルタシート１３と外側シート１１とを、熱又は超音波で融着することにより形成されている。その際、各シートの少なくとも一部が溶融した後に冷え固まることで、融着部１６は略透明なフィルム状に形成される。したがって、融着部１６の形状は、内面ＩＳ側及び外面ＯＳ側の両側から視認できる。
【００３２】
なお、別の実施形態では、マスク本体１０は、２枚以上のフィルタシート１３を備えている。更に別の実施形態では、マスク本体１０は、全体として１枚又は２枚のシートで形成されている。マスク本体１０が２枚のシートで形成されている場合、例えば、一方のシートが内側シート及びフィルタシート、他方のシートがフィルタシート及び外側シートの機能を有する、一方のシートが内側シート、他方がフィルタシート及び外側シートの機能を有する、又は、一方のシートが内側シート及びフィルタシート、他方が外側シートの機能を有する。マスク本体１０が１枚のシートで形成されている場合、例えば、そのシートが内側シート及び外側シートの少なくとも一方並びにフィルタシートの機能を有する、又は、そのシートがフィルタシートの機能を有する。
【００３３】
本実施形態では、複数の融着部１６（本体融着部）が、外面ＯＳ（第２面）から見て判読可能な複数個の文字が並んだ文字列の形状を有する融着部１７（文字列融着部）を含んでいる。融着部１７の形状は、融着部１６の形状と同様に、内面ＩＳ側及び外面ＯＳ側の両側から視認できる。ここで、融着部１７は、その文字列における、文字列の方向の中心に位置し、文字列の方向と直交する方向に延びる仮想的な中心線に対して非対称である。図２の外面ＯＳを示す例では、融着部１７の文字列は“Ｍａｓｋ”であり、中心線は“ａ”と“ｓ”との間に位置し、文字の並びの方向と直交する。そして、文字列“Ｍａｓｋ”は、その中心線に対して線対称でない、すなわち非対称である。したがって、図３の内面ＩＳを示す例では、融着部１７の文字列は“Ｍａｓｋ”を逆向きにしたものになる。したがって、そのような文字列を見ることで、使用者は外面ＯＳと内面ＩＳとを容易に区別できる。
【００３４】
本実施形態では、内側シート１２とフィルタシート１３と外側シート１１と耳掛け部材２０とが、融着部３０で互いに融着されている。融着部３０の形状は、特に限定されるものではなく、複数又は単数のドット状、円状、楕円状、多角形状、格子状、ドット格子状、図柄状、それらの組み合わせなどが挙げられる。融着部３０は、内側シート１２とフィルタシート１３と外側シート１１と耳掛け部材２０とを、熱又は超音波で融着することにより形成されている。その際、内側シート１２とフィルタシート１３と外側シート１１のうちの少なくとも一部が溶融した後に冷え固まることで、内側シート１２とフィルタシート１３と外側シート１１の部分が略透明なフィルム状であるフィルム部分１５が形成される。その冷え固まるとき、耳掛け部材２０の端部２２の一部又は全部が溶融して外側シート１１（フィルム部分１５を含む）と融着することができる。それにより、耳掛け部材２０の色又は混合色を、フィルム部分１５を透かして、内面ＩＳ側から視認できる。
【００３５】
一対の耳掛け部材２０は、内面ＩＳ側から見て、幅方向Ｗの左側の耳掛け部材２０と、右側の耳掛け部材２０とを含んでいる。そして、左側の耳掛け部材２０は、一方及び他方の端部２２、２２が、それぞれ左半面シート１０ａにおける左側の端部のうちの、上下方向Ｌの上側及び下側の端部に、左側の端部から外側へ延出するように融着部３０で接合されている。同様に、右側の耳掛け部材２０は、一方及び他方の端部２２、２２が、それぞれ右半面シート１０ａにおける右側の端部のうちの、上下方向Ｌの上側及び下側の端部に、右側の端部から外側へ延出するように融着部３０で接合されている。なお、別の実施形態では、一対の耳掛け部材２０は、マスク本体１０の幅方向Ｗの両側部の内面ＩＳ（第１面）に融着部３０、３０で融着されている。
【００３６】
本実施形態では、マスク本体１０は、マスク本体１０の幅方向Ｗの両端部の各々において、上下方向Ｌの一端部が幅方向Ｗの外側の方向に延出した第１延出部１０Ｐ１と、上下方向Ｌの他端部が幅方向Ｗの外側の方向に延出した第２延出部１０Ｐ２と、を含む。第１延出部１０Ｐ１と第２延出部１０Ｐ２との間に幅方向Ｗの内側の方向に括れた括れ部１０Ｑが位置している。そして、耳掛け部材２０は、一端部を、第１延出部１０Ｐ１に位置する融着部３０（第１延出融着部）で融着され、他端部を、第２延出部１０Ｐ２に位置する融着部３０（第２延出融着部）で融着されている。なお、第１延出部１０Ｐ１と第２延出部１０Ｐ２は、まとめて延出部ということができる。また、第１延出融着部と第２延出融着部は、まとめて延出融着部ということができる。なお、別の実施形態では、第１延出部１０Ｐ１及び第２延出部１０Ｐ２の少なくとも一方は設けられず、それにより括れ部１０Ｑも設けられない。すなわち、マスク本体１０の幅方向Ｗの両端部の各々において、上下方向Ｌの一端部及び他端部の少なくとも一方は幅方向Ｗの外側に延出せず、その延出していない端部に融着部３０が位置する。
【００３７】
本実施形態において、内側シート１２及び外側シート１１は、フィルタシート１３を厚さ方向の両側から保持し、マスク本体１０の形状を維持する。内側シート１２及び外側シート１１は、その機能の観点から、フィルタシート１３と比較して、通気性能が高く、剛性が高いことが好ましい。内側シート１２については更に肌触りが良いことが好ましい。内側シート１２及び外側シート１１の坪量としては、例えば１０〜１００ｇ／ｍ２が挙げられる。
【００３８】
本実施形態において、フィルタシート１３は、フィルタシート１３内を空気のような気体が流通するとき、気体と共にフィルタシート内を通り抜けようとするウィルス、細菌、埃、花粉、又は微小粒子状物質（ＰＭ２．５）のような物質（以下、単に「微小物質」ともいう。）を捕獲し、収集する。フィルタシート１３の坪量としては、例えば、１０〜２００ｇ／ｍ２が挙げられる。
【００３９】
内側シート１２、外側シート１１及びフィルタシート１３の材料としては、例えば、不織布が挙げられる。不織布としては、例えば、スパンレース不織布、エアスルー不織布、スパンボンド不織布、エアレイド不織布、メルトブローン不織布、フラッシュ紡糸不織布、サーマルボンド不織布、カーディング不織布、又はこれらのいくつかを組み合わせた不織布が挙げられる。不織布を構成する繊維としては、熱や超音波で溶融しフィルム状になり得る繊維であれば特に制限はない。そのような繊維としては、例えば、合成樹脂繊維（例示：ポリエチレン、ポリプロピレン、ポリブチレン、エチレン−酢酸ビニル共重合体、エチレン−アクリル酸エチル共重合体、エチレン−アクリル酸共重合体、アイオノマー樹脂等のポリオレフィン；ポリエチレンテレフタレート、ポリブチレンテレフタラート、ポリトリメチレンテレフタラート、ポリ乳酸等のポリエステル；ナイロン等のポリアミド等）などが挙げられる。なお、天然繊維（例示：羊毛、コットン）や再生繊維（例示：レーヨン、アセテート）が一部含まれてもよい。不織布を構成する繊維は、単一成分で構成されていてもよいし、芯・鞘型繊維、サイド・バイ・サイド型繊維、島／海型繊維等の複合繊維で構成されていてもよい。単層の不織布でも良いし、単層の不織布が積層された積層体（例示：ＳＭＳ不織布）でもよい。
【００４０】
フィルタシート１３の材料としては、内側シート１２及び外側シート１１と比較して、微小物質の捕集性能が高いことが好ましい。本実施形態では、例えば、フィルタシート１３の材料として、エレクトレット化された不織布を用いることができる。エレクトレット化された不織布は気体中の微小物質を静電気の力で捕獲、収集することが可能である。そのような不織布は、エレクトレット処理を不織布に施すことで得られる。エレクトレット化される不織布の材料としては、無極性のポリマーが好ましく、例えばポリプロピレン、ポリエチレン、ポリスチレン、又はそれらの組み合わせが挙げられる。
【００４１】
また、フィルタシート１３の繊維密度は、微小物質を捕獲する観点から、内側シート１２及び外側シート１１の繊維密度よりも高いことが好ましい。フィルタシート１３の繊維密度としては、例えば、０．０３〜０．２０ｇ／ｃｍ３が挙げられ、好ましくは０．０５〜０．１０ｇ／ｃｍ３である。フィルタシートの繊維密度が高過ぎると、エレクトレット処理によるフィルタシート内での電界の形成が繊維に妨げられるなどの理由により、フィルタシートの内部にエレクトレット処理が及ばなくなるおそれがある。また、フィルタシートの繊維密度が高過ぎると、気体の流通が妨げられて、フィルタシート１３を気体が通過し難くなり、その通気性能が低下するおそれがある。一方、繊維密度が低過ぎると、微小物質を捕獲する繊維が少な過ぎて捕集性能が低下するおそれがある。
【００４２】
耳掛け部材２０の材料としては、着用者の耳にかけられれば特に制限はないが、例えば断面が円形の丸ゴムや矩形の平ゴムのような弾性部材が挙げられる。その弾性部材としては、例えば、合成樹脂繊維（伸縮性を有する繊維でも可）を織って又は編んで形成した織ゴム又は編ゴムが挙げられる。本実施形態では織ゴムを用いている。織ゴムは伸ばしても幅が変わらない。そのため、織ゴムを用いることは、耳掛け部材２０が伸ばされても耳掛け部材２０の色が見難くなることを抑制できるので、好ましい。また、耳掛け部材２０が耳に掛けられるときに細くならないため、織ゴムにおける使用者の耳に当接する部分の面積を十分に確保することができ、マスク１の着け心地を向上できる。したがって、マスク１が本来の機能を正しく発揮できると共に、長時間の装着が可能となる。
【００４３】
本実施形態では、耳掛け部材２０が織ゴムで形成されている。その場合、織ゴムにおける経糸（例示：伸縮ウレタン繊維）及び緯糸（例示：ポリエステル繊維）のうちの少なくとも一方（本実施形態では緯糸）の色が、マスク本体１０の内面ＩＳ（第１面）の色と異なる。別の実施形態では、織ゴムにおける経糸及び緯糸のうちの、単位体積当たりの糸の本数が多い方の色が、マスク本体の内面ＩＳの色と異なる。その場合、他方の糸の色は、例えば、同系色又は白色が挙げられる。これらにより、耳掛け部材２０の色を、全体として、内面ＩＳの色と異なるようにすることができる。
【００４４】
本実施形態における好ましい態様として、本マスク１では、耳掛け部材２０の色は、耳掛け部材２０が融着された外面ＯＳ（第２面）の色と同系色である。したがって、使用者は、本マスク１の内面ＩＳ（第１面）を見たとき内面ＩＳの色と融着部３０を透視して把握される色とが異なること、すなわち内面ＩＳの色と耳掛け部材２０の色又は混合色とが互いに同系色でないことから、その面が、耳掛け部材２０が直接融着された外面ＯＳではないことを直ちに把握することができる。逆に言えば、使用者が本マスク１の外面ＯＳを見たとき、外面ＯＳの色と融着部３０の色（外面ＯＳ側からは耳掛け部材２０そのものの色となる）とが互いに同系色であるため、その面が外面ＯＳであることを容易に把握ができる。すなわち、内面ＩＳと外面ＯＳとを直ちに区別することができる。なお、同系色は、同一色を含む。
【００４５】
本実施形態における好ましい態様として、本マスク１では、装着時に、耳掛け部材２０が、マスク本体１０を第２面、すなわち外面ＯＳ側から肌（顔）へ向かって押さえつけるように、外面ＯＳ側に結合されている。したがって、使用者が本マスク１の第１面、すなわち内面ＩＳを見たとき、内面ＩＳの色と融着部３０を透視して把握される色とが異なるため、その面が内面ＩＳであると直ちに把握できる。逆に言えば、使用者が本マスク１の第２面、すなわち外面ＯＳを見たとき、耳掛け部材２０が直接融着されているため、その面が外面ＯＳであると直ちに把握できる。すなわち、内面ＩＳと外面ＯＳとを容易に区別することができる。
【００４６】
本実施形態における好ましい態様として、本マスク１では、耳掛け部材２０の色とマスク本体１０の内面ＩＳ（第１面）の色とがマンセル表色系（１００色相）にて色相が５以上、明度が１以上、又は、彩度が１以上離れている。それゆえ、使用者は耳掛け部材２０の色又は混合色を、融着部３０を介して、内面ＩＳ側からより容易に視認できる。すなわち、耳掛け部材２０が融着された外面ＯＳ（第２面）と、耳掛け部材２０の色又は混合色を融着部３０を介して視認できる内面ＩＳと、をより容易に区別できる。それにより、内面ＩＳと外面ＯＳとを容易に区別できる。
【００４７】
本実施形態における好ましい態様として、本マスク１では、耳掛け部材２０が織ゴムであるため、その長さ方向に張力が加わってもその幅ほとんど変化せず、耳掛け部材２０の色が見難くなることを抑制できる。それにより、使用者は、耳掛け部材２０としての織ゴムが融着された側である外面ＯＳ（第２面）と、その織ゴムの色を融着部３０を介して視認できる内面ＩＳ（第１面）と、を容易に区別することができる。それにより、内面ＩＳと外面ＯＳとを色によってより容易に区別できる。また、織ゴムでは、張力にかかわらず、その幅がほとんど変化しないため、織ゴムにおける使用者の耳に当接する面積を十分に確保することができる。それにより、本マスク１の着け心地を改善できる。したがって、本マスク１が本来の機能を正しく発揮できると共に、長時間の装着が可能となる。
【００４８】
本実施形態における好ましい態様として、本マスク１では、耳掛け部材２０としての織ゴムにおいて、経糸及び緯糸のうちの単位体積当たりの糸の本数が多い方の色がマスク本体１０の内面ＩＳ（第１面）の色と異なる。そのため使用者は、織ゴムが融着された側の外面ＯＳ（第２面）と、織ゴムの色を融着部３０を介して視認できる内面ＩＳと、をより容易に区別できる。それにより、内面ＩＳと外面ＯＳとをより容易に区別できる。
【００４９】
本実施形態における好ましい態様として、本マスク１では、マスク本体１０が、幅方向Ｗの端部において、上下方向Ｌの両端部の少なくとも一方が幅方向Ｗの外側の方向に延出した延出部１０Ｐを含み、耳掛け部材２０は、少なくとも一端部を融着部３０（延出融着部）に融着されている。このように、幅方向Ｗの外側の方向に延出した延出部１０Ｐに融着部３０が位置することで、使用者は、融着部３０を容易に把握できるので、融着部３０を介して内面ＩＳ（第１面）側から耳掛け部材２０の色を容易に視認できる。したがって、使用者は、内面ＩＳと外面ＯＳとをより容易に区別できる。
【００５０】
本実施形態における好ましい態様として、本マスク１では、マスク本体１０が、幅方向Ｗの端部において、上下方向Ｌの両端部が幅方向Ｗの外側の方向に延出した第１、第２延出部１０Ｐ１、１０Ｐ２を含んでおり、耳掛け部材２０が、一端部及び他端部を融着部３０、３０（第１、第２延出融着部）に融着されている。このように、幅方向Ｗの外側の方向に延出した第１、第２延出部１０Ｐ１、１０Ｐ２に融着部３０、３０が位置することで、それら融着部３０、３０をより容易に把握できるので、それにより融着部３０、３０を介して内面ＩＳ（第１面）側から耳掛け部材２０の色又は混合色を容易に視認できる。したがって、使用者は、内面ＩＳと外面ＯＳとを色によってより容易に区別できる。
【００５１】
本実施形態における好ましい態様として、本マスク１では、融着部３０は、マスク本体１０と耳掛け部材２０とが超音波で溶かされて形成されている。そのため、マスク本体１０の不織布を容易にフィルム化することができ、それにより、外面ＯＳ（第２面）に位置する耳掛け部材２０の色を、融着部３０を介して内面ＩＳ（第１面）側から容易に視認可能にすることができる。それにより、内面ＩＳと外面ＯＳとをより容易に区別できる。
【００５２】
本実施形態における好ましい態様として、本マスク１では、外面ＯＳ（第２面）から見て判読可能な文字列（例示：Ｍａｓｋ）を含み、文字列の並ぶ方向の中心線に対して非対称である融着部１７（文字列融着部）を備えている。それにより、融着部１７の文字列の状態から、外面ＯＳ（第２面）と内面ＩＳ（第１面）とを容易に区別することができる。また、融着部１７は複数の不織布同士を融着するための融着部であるため、マスク性能への影響やコストの上昇などを抑制しつつ融着部１７を形成できる。それにより、内面ＩＳと外面とを色によってより容易に区別できる。
【００５３】
次に、他の実施形態について説明する。図５及び図６は実施形態に係る使い捨てマスク１ａ（以下、単に「マスク１ａ」ともいう。）の構成例を示す図である。ただし、図５はマスク１ａの正面図であり、図６はマスク１ａの背面図である。以下では、図５〜図６に示すマスク１ａにおける、図１〜図４に示すマスク１との相違点について主に説明する。
【００５４】
本実施形態のマスク１ａでは、マスク本体１０は、正面から見て、上下方向Ｌに短く、幅方向Ｗに長い略矩形の形状を有している。ただし、マスク本体１０の形状は、鼻や口を覆うことが可能ならばこの例に限定されず、例えば、略楕円の形状、略逆三角の形状、略多角形の形状、それらの組み合わせなどが挙げられる。マスク本体１０は、幅方向Ｗに沿って延び、上下方向Ｌに並び、厚さ方向Ｔに折り畳まれた複数の襞部４０を含んでいる（プリーツ型構造）。複数の襞部４０の各々は、上下方向Ｌに蛇腹状に変形してマスク本体１０の内面ＩＳと着用者との間に所定の口元空間を形成できる。本実施形態では、マスク本体１０は、着用時に鼻に対応する部分にノーズフィット部材４２を備えている。
【００５５】
一対の耳掛け部材２０は、マスク本体１０における幅方向Ｗの両側部、かつ、上下方向Ｌの両端部の外面ＯＳ（第２面）に融着部３０、３０で融着されている。なお、別の実施形態では、一対の耳掛け部材２０は、マスク本体１０の幅方向Ｗの両側部、かつ、上下方向Ｌの両端部の内面ＩＳ（第２面）に融着部３０、３０で融着されている。
【００５６】
マスク１ａにおける、その他の構成については、図１〜図３のマスク１で説明したとおりである。本実施形態（図５〜図６のマスク１ａ）についても、上記の実施形態（図１〜図３のマスク１）と同様の作用効果を奏することができる。
【００５７】
なお、本明細書において、シートの坪量、厚さ及び繊維密度の値は以下の方法により測定されるものとする。
・シートの坪量：測定対象のシートの任意の場所から、５ｃｍ×５ｃｍの試料を１０個切り出す。次いで、試料の質量を測定する。次いで、測定した質量を試料の面積で割り算して試料の坪量を算出した。１０個の試料の坪量を平均した値をシートの坪量とした。
・シートの厚さ：１５ｃｍ２の測定子を備えた厚さ計  型式ＦＳ−６０ＤＳ（株式会社大栄化学精器製作所製）を用い、３ｇ／ｃｍ２の測定荷重の条件でシートの厚さを測定した。測定対象のシートの任意の３か所の厚さを測定し、３か所の厚さの平均値をシートの厚さとした。
・シートの繊維密度：シートの繊維密度は、上記方法で求めたシートの秤量を、上記方法で求めたシートの厚みで割り算して算出した。
【００５８】
本発明の使い捨てマスクは、上述した各実施形態に制限されることなく、本発明の目的、趣旨を逸脱しない範囲内において、各実施形態の技術や当該技術分野の公知の技術を用いた組合せや置換等が可能である。
【符号の説明】
【００５９】
１    （使い捨て）マスク
１０    マスク本体
２０    耳掛け部材
３０    融着部
【図１】
2020041254.tif 000004
【図２】
2020041254.tif 000005
【図３】
2020041254.tif 000006
【図４】
2020041254.tif 000007
【図５】
2020041254.tif 000008
【図６】
2020041254.tif 000009